(57)【要約】      （修正有）【課題】蓋板の閉じ作動に伴う提手片の横外方への張り出しが少なく、かつ、円滑に蓋板を開閉することのできる提手付紙箱を提供する。【解決手段】主提手片１１および補助提手片１２の基端側の共通の角部に、主折曲げ線ｇに臨む切欠き開口１６を形成するとともに、蓋板７と主提手片１２との間で補助提手片を二つ折りする補助折曲げ線ｈを切欠き開口に繋いで形成し、左右の横側板４，５の上端と主提手片１１の境界となる折曲げ線ｅを、蓋板７の開閉用の折曲げ線ｂ、および、前側板２の開口上端よりも高い位置に設定して切欠き開口１６に臨ませてある。【選択図】図１
0003155243.tif 000002
【実用新案登録請求の範囲】
【請求項１】
前側板、後側板、左右の横側板、底板、および、後側板の上端に折り曲げ開閉可能に連設した蓋板とで箱本体が構成され、左右の横側板の上端部に連なる主提手片と、前記蓋板の横側端部に連なる補助提手片とが一体連設され、前記蓋板の閉じ作動に伴って、前記主提手片と補助提手片が互いの境界に傾斜形成された主折曲げ線に沿って折り重ねられて、二枚重ね構造の提手が箱本体の左右上端部に現出されるように構成した提手付き紙箱であって、
前記主提手片および前記補助提手片の基端側の共通の角部に、前記主折曲げ線に臨む切欠き開口を形成するとともに、前記蓋板と主提手片との間で補助提手片を二つ折りする補助折曲げ線を前記切欠き開口に繋いで形成し、
かつ、左右の前記横側板の上端と前記主提手片の境界となる折曲げ線を、前記蓋板の開閉用の折曲げ線、および、前側板の開口上端よりも高い位置に設定して前記切欠き開口に臨ませてある、
ことを特徴とする提手付き紙箱。
【請求項２】
前記蓋板の遊端部に、蓋閉じ状態において前記前側板の外側に外嵌する折返し辺を連設するとともに、この折返し片に形成した係止スリットに差込み係止される連結片を前側板に備えてある請求項１記載の提手付き紙箱。
【請求項３】
前記連結片に、前記係止スリットの切込み端を乗越え通過する凸部を備えてある請求項２記載の提手付き紙箱。
【請求項４】
前記補助提手片に、前記箱本体内に装填された収納袋の一部を挟込み支持する切り込みを備えてある請求項１ないし３のいずれかに記載の提手付き紙箱。
【請求項５】
前記主提手片と前記補助提手片のそれぞれに、折り重ねられた状態において重合する提手孔を備え、主提手片の提手孔を、上端の一部が主提手片に連なる切込み孔に構成するとともに、補助提手片の提手孔を打抜き孔に構成してある請求項１ないし４のいずれかに記載の提手付き紙箱。
【請求項６】
操作ペダルに連動連結されて上下動する作動部材に前記蓋板を支持し、前記操作ペダルの非踏み込み状態では前記作動部材が下方移動して蓋板が閉じ姿勢にあり、前記操作ペダルの踏み込みによって前記作動部材が上方移動して蓋板が開放されるように前記箱本体を足踏み開閉スタンドに装着可能に構成してある請求項１ないし５のいずれかに記載の提手付き紙箱。
【考案の詳細な説明】
【技術分野】
【０００１】
本考案は、各種の物品を収納して手軽に持ち運びすることができる提手付き紙箱に関し、更に詳しくは、医療行為によって排出されるガーゼ、脱脂綿、注射器、注射針等の医療廃棄物を収納して焼却処理する際に使用される医療廃棄物容器などとして好適な提手付き紙箱に関する。
【背景技術】
【０００２】
提手付き紙箱としては、例えば、特許文献１に示されているように、前側板、後側板、左右の横側板、底板、および、後側板の上端に折り曲げ開閉可能に連設した蓋板とで箱本体が構成され、左右の横側板の上端部に連なる主提手片と、前記蓋板の横側端部に連なる補助提手片とが一体連設され、前記蓋板の閉じ作動に伴って、前記主提手片と補助提手片が互いの境界に形成された折り線に沿って折り重ねられて、二枚重ね構造の提手が箱本体の左右上端部に現出されるように構成したものが知られている。
【先行技術文献】
【特許文献】
【０００３】
【特許文献１】実用新案登録公報  第２５３３０４３号
【考案の概要】
【考案が解決しようとする課題】
【０００４】
上記構成の提手付き紙箱は、閉蓋操作に伴って自動的に二枚重ね構造の丈夫な提手が箱本体の左右上端部に現出されることになり、取り扱い性、および、持ち運び性にも優れたものであるが、主提手片と補助提手片とは主折曲げ線に対して対称に配置されるとともに、横側板に対する主提手片の折れ曲がり特性と、蓋板に対する補助提手片の折れ曲がり特性とが同一となっているために、蓋板の閉じ作動に伴って主提手片と補助提手片とが折り重ねられる際に、主提手片と補助提手片とが横外方に向けて水平に大きく張り出されることになり、蓋板を閉じた後、横外方に向けて水平に大きく張り出された二枚重ね構造の提手を起立姿勢まで起こし曲げる操作が必要となるものであった。
【０００５】
また、蓋板の閉じ作動に伴って主提手片と補助提手片とが横外方に向けて大きく張り出されるので、壁や据置き器材などの他物の近くで紙箱を配置してゴミ箱等として使用する場合、蓋板開閉作動に伴う提手片の張り出しスペースの必要性を忘れて他物に接近して設置してしまうと、蓋板を閉じようとした際に、大きく張り出し作動する提手片が他物に当接して、蓋板がうまく閉まらなくなり、紙箱の設置位置変更を余儀なくされることがある。
【０００６】
また、主提手片と補助提手片とはその折れ曲がり特性が同一であるために、蓋板閉じ作動時に主提手片と補助提手片が箱内方に向け内折れしてしまう可能性もあり、このような場合には、閉じられた蓋板の内に二枚重ね構造の提手が現出されることになり、提手を露出するために再度蓋板を開けて、主提手片と補助提手片が外折れするように案内しながら蓋板を閉じ直しする必要がある。
【０００７】
本考案は、このような実情に着目してなされたものであって、蓋板の閉じ作動に伴う提手片の横外方への張り出しが少なく、かつ、円滑に蓋板を開閉することのできる提手付き紙箱を提供することを主たる目的とするものである。
【課題を解決するための手段】
【０００８】
上記目的を達成するために、本考案は以下のように構成した。
【０００９】
本考案は、前側板、後側板、左右の横側板、底板、および、後側板の上端に折り曲げ開閉可能に連設した蓋板とで箱本体が構成され、左右の横側板の上端部に連なる主提手片と、前記蓋板の横側端部に連なる補助提手片とが一体連設され、前記蓋板の閉じ作動に伴って、前記主提手片と補助提手片が互いの境界に傾斜形成された主折曲げ線に沿って折り重ねられて、二枚重ね構造の提手が箱本体の左右上端部に現出されるように構成した提手付き紙箱であって、
前記主提手片および前記補助提手片の基端側の共通の角部に、前記主折曲げ線に臨む切欠き開口を形成するとともに、前記蓋板と主提手片との間で補助提手片を二つ折りする補助折曲げ線を前記切欠き開口に繋いで形成し、
かつ、左右の前記横側板の上端と前記主提手片の境界となる折曲げ線を、前記蓋板の開閉用の折曲げ線、および、前側板の開口上端よりも高い位置に設定して前記切欠き開口に臨ませてある、
ことを特徴とする。
【００１０】
この構成によると、蓋板を下方揺動させるに伴って、主提手片が横外方に折り曲げられながら、補助提手片が主折曲げ線に沿って折り曲げられて主提手片に折り重ねられ、２枚重ね構造の提手が箱本体の左右上端部に起立される。
【００１１】
この場合、補助提手片は補助折曲げ線を介して二つ折りに折り曲げられることになって、補助折曲げ線が無い場合に比べて、主提手片と補助提手片の横外方への張り出しが少ない状態で補助提手片が主提手片に折り重ねられる。
【００１２】
また、主提手片の横側板に対する折曲げ線は、蓋板の開閉用の折曲げ線、および、前側板の開口上端よりも高い位置に在って、主提手片の横側板に対する折れ曲がり特性と、補助提手片の蓋板に対する折れ曲がり特性とが相違している。従って、蓋板の閉じ作動に伴って主提手片に補助提手片を折り重ねるには、上記相違を吸収するために補助折曲げ線を介して補助提手片が二つ折りに折り曲がることが不可欠になる。つまり、蓋板の閉じ作動時には補助提手片自体の補助折曲げ線での折り曲げが必ず行われて、主提手片と補助提手片の折り重ね作動が横外方への張り出しの少ない状態で行われるのである。
【００１３】
また、主提手片の横側板に対する折曲げ線が、蓋板の開閉用の折曲げ線、および、前側板の開口上端よりも高い位置に在るので、横側板の上端部分は蓋板の開閉用の折曲げ線および前側板の開口上端よりも上方に延長して起立することになり、補助提手片は主提手片のみならず垂直に起立している横側板の上端部分にも重ね合わされる。従って、主提手片と補助提手とを重ね合わせて現出された提手は、垂直に起立している横側板の上端部分に案内されて自動的に起立されることになり、蓋板を閉じるだけで箱本体の左右上端に提手を起立現出させることができ、直ちに持ち運びすることができる状態となる。
【００１４】
本考案の一実施態様においては、前記蓋板の遊端部に、蓋閉じ状態において前記前側板の外側に外嵌する折返し辺を連設するとともに、この折返し片に形成した係止スリットに差込み係止される連結片を前側板に備えてある。
【００１５】
これによると、蓋板が閉じられると、その遊端に備えられた折り返し片を前側板の上端に被せ、その後、前側板の上端に備えた連結片を折り返し片の係止スリットに挿し入れて係止する。この場合、蓋板の折り返し片を前側板の上端に被せるので、箱本体を重ね置いたり、箱本体の上に他物を載置した場合でも、蓋板の遊端部に作用する荷重が前側板の上端全長で維持されることになり、蓋板の遊端部が荷重によって撓み下がるようなことはない。
【００１６】
また、本考案の他の実施態様においては、前記連結片に、前記係止スリットの切込み端を乗越え通過する凸部を備えてある。
【００１７】
これによると、係止スリットにおける左右の切込み端に凸部が引っ掛かって、挿し入れた連結片が係止スリットから容易には抜けることはなく、運搬中などにおいて、蓋板が不用意に開くようなことが防止される。
【００１８】
また、本考案の他の実施態様においては、前記補助提手片に、前記箱本体内に装填された収納袋の一部を挟込み支持する切り込みを備えてある。
【００１９】
これによると、箱内に挿入した樹脂フィルムなどからなる収納袋の開口部を外側に巻き込んで、箱本体における前側板および左右横側板の上部に被せるとともに、蓋板に連なる補助提手片の切り込みに収納袋の一部を挟込み支持させることで、蓋板を開閉させても収納袋が箱内にずり落ちることなく、収納対象物を洩らすことなく収納袋に収納することができる。
【００２０】
また、本考案の他の実施態様においては、前記主提手片と前記補助提手片のそれぞれに、折り重ねられた状態において重合する横長の提手孔を備え、主提手片の提手孔を、上端長辺の一部が主提手片に連なる切り込み孔に構成するとともに、補助提手片の提手孔を打ち抜き孔に構成してある。
【００２１】
これによると、折り重ね形成された提手における主提手片の切り込み孔である提手孔を埋めている舌片を内方上方に折り曲げ、この舌片を補助提手片の打ち抜き孔である提手孔に押し込み通過させることで、舌片の下面が、提手孔の切り口に比べて大きく、かつ、平坦な指掛け面となり、提手孔に手指を掛けて箱本体を持ち上げる際に、手指の腹に無理をかけることがない。
【００２２】
さらに、本考案の他の実施態様においては、操作ペダルに連動連結されて上下動する作動部材に前記蓋板を支持し、前記操作ペダルの非踏み込み状態では前記作動部材が下方移動して蓋板が閉じ姿勢にあり、前記操作ペダルの踏み込みによって前記作動部材が上方移動して蓋板が開放されるように前記箱本体を足踏み開閉スタンドに装着可能に構成してある。
【００２３】
これによると、手を使うことなく足踏み操作で蓋板を自由に開閉することができ、両手を使っての作業を行いながらの対象物の投入収納を容易に行うことができる。
【考案の効果】
【００２４】
このように、本考案は、提手片の横外方への張り出しを少なくしながら蓋板を円滑に開閉することのできる提手付き紙箱を提供することができる。
【図面の簡単な説明】
【００２５】
【図１】開蓋状態の提手付き紙箱を前方から見た斜視図である。
【図２】開蓋状態の提手付き紙箱を後方から見た斜視図である。
【図３】蓋閉じ作動途中の状態を示す斜視図である。
【図４】提手の折り重ね形成作動を示す原理図である。
【図５】蓋板を閉じた状態の斜視図である。
【図６】蓋板を閉じ固定した提手付き紙箱の斜視図である。
【図７】蓋板を閉じ固定する構造部分の横断平面図である。
【図８】持ち運び可能な状態の斜視図である。
【図９】素材を内面側から見た展開平面図である。
【図１０】収納袋を箱本体に装着支持した状態の斜視図である。
【図１１】足踏み開閉スタンドに装着した提手付き紙箱の閉蓋状態を示す斜視図である。
【図１２】足踏み開閉スタンドに装着した提手付き紙箱の開蓋状態を示す斜視図である。
【考案を実施するための形態】
【００２６】
以下、本考案の実施例を図面に基づいて説明する。
【００２７】
図１，図２に、本考案に係る提手付き紙箱の開蓋状態の斜視図がそれぞれ示されている。
【００２８】
この提手付き紙箱は、段ボール紙を型抜き裁断した１枚の素材を折り貼りして、蓋付きの箱状に組み上げたものであり、その箱本体１は、前側板２、後側板３、左右の横側板４，５、底板６、および、後側板３の上端に折り曲げ開閉可能に連らなる蓋板７とで構成されている。
【００２９】
図９に、前記素材を展開して内面側から見た平面図が示されている。図示のように、前側板２、後側板３、左右の横側板４，５は、型押し形成された折り線ａを介して左右に並列配置され、後側板３の上端に型押し形成された折り線ｂを介して蓋板７が連設されている。前側板２、後側板３、および、左右の横側板４，５の下端には、前記底板６を構成する底板片６ａ，６ｂ，６ｃ，６ｄが型押し形成された折り線ｃを介して連設されている。
【００３０】
また、蓋板７の遊端には、封止用の折り返し片８が型押し形成された折り線ｄを介して連設されるとともに、折り線ｄの中央部位には、所定横幅の係止スリット９が切り込み形成されている。他方、前側板２における上端の中央部位には、前記係止スリット９に挿し込み可能な連結片１０が備えられている。
【００３１】
また、左側の横側板４の上端と蓋板７の左端との間の角部と、右側の横側板５の上端と蓋板７の右端との間の角部には、横側板４，５に連なる主提手片１１と、蓋板７に連なる補助提手片１２とがそれぞれ一体化されて設けられている。
【００３２】
左右の各主提手１１は、横側板４，５の上端にそれぞれ折曲げ線ｅを介して連設されるとともに、左右の各補助提手片１２は、蓋板７の左右端にそれぞれ折曲げ線ｆを介して連設されている。主提手片１１と補助提手片１２は、４５度の傾斜角度を持つ主折曲げ線ｇを介して折り曲げ可能に一体連設されており、蓋板７が閉じられると補助提手片１２が主折曲げ線ｇを介して主提手片１１の内面に折り重ねられて、図５等に示すように二枚重ね構造の丈夫な提手１３が現出するようになっている。
【００３３】
主提手片１１と補助提手片１２には、両者が折り重ねられた状態において互いに重合する横長の提手孔１４，１５がそれぞれ形成されている。ここで、主提手片１１の提手孔１４は、上端部において主提手片１１に繋がる切り込み孔に構成されて、その内部が長円状の舌片１４ａで埋められている。他方、補助提手片１２の提手孔１５は左右に貫通した打ち抜き孔に構成されている。
【００３４】
また、主提手片１１と補助提手片１２との基端側の共通の角部には、主折曲げ線ｇを含む扇形の切欠き開口１６が打ち抜き形成されるとともに、補助提手片１２には切欠き開口１６に繋がる折曲げ補助線ｈが形成されて、蓋板７に対する折曲げ線ｆと主折曲げ線ｇとの間で補助提手片１２が二つ折り可能となっている。
【００３５】
ここで、補助提手片１２の蓋７に対する折曲げ線ｆは、その略全域において、短い複数のスリットｓが断続して切り込み形成された、折り曲げが容易な罫線に構成されるとともに、折曲げ補助線ｈも、その略全域に短い複数のスリットｓが切り込み形成された、折り曲げが容易な罫線に構成されている。
【００３６】
他方、主提手片１１の横側板４，５に対する折曲げ線ｅは、その長手方向中央域においてのみ短いスリットｓが断続して直線状に切り込み形成されており、かつ、折曲げ線ｅの位置が、蓋板７の開閉用の折り線ｂ、および、前側板２の開口上端よりも高い位置において前記切欠き開口１６に臨むよう設定されている。
【００３７】
上記のように構成された素材は次のようにして箱本体１に組み上げられる。
【００３８】
先ず、素材の底板片６ａ〜６ｄを折り線ｃに沿って直角に折り起こし、折り線ａに沿って直角に折り起こした前側板の底板片６ａと右側の横側板５の底板片６ｄとを接着剤１７を介して貼り合せるとともに、前側板の底板片６ｂと右側の横側板５の底板片６ｃとを接着剤１７を介して貼り合せる。
【００３９】
次に、右側の横側板５を折り線ａに沿って直角に折り起こして、前側板２の遊端辺から折り起こしたのり代片１８を、左側の横側板４の遊端辺の内面に接着剤１９を介して貼り合せ、もって、角筒状の胴部を構成する。
【００４０】
その後、底板片６ａ〜６ｄを互いに挿し合わせて底板６を組み上げることで、図１〜図２に示される箱本体１が完成する。なお、底板片６ａ，６ｂには折曲げ線を構成するスリットｔが斜めに切り込み形成されおり、底板６を組み上げる際に底板片６ａ，６ｂを容易に曲げ変形することができるようになっている。なお、図示されていないが、組み上げた箱本体１の内底には、別途用意された段ボール紙製の中敷き底板を落とし込み装填し、丈夫で平坦な底面を現出する。
【００４１】
以上のようにして構成された提手付き紙箱の使用形態を以下に説明する。
【００４２】
この提手付き紙箱は、箱本体１に対象物を直接に収納したり、あるいは、医療廃棄物容器として用いるような場合には、樹脂フィルム製の収納袋を装填して用いる。収納袋を利用する場合は、箱内に収納袋２０を挿入した後、図１０に示すように、挿入した収納袋２０の前側の口縁部を外側に巻き込んで、折り込んだ連結片１０に挟み込むとともに、連結片１０の左右に形成された折り曲げ用の切り込み２１に挿通して係止し、収納袋２０の左右の口縁部を主提手片１１と補助提手片１２に覆い被せて、その一部を提手孔１４に挿し込み係止し、更に、収納袋２０の後側の口縁部における左右箇所を、補助提手片１２と蓋板７との境界の上端に形成した切り込み２２に挿し込み係止することで、収納袋２０をずれ動きなく装着支持することができる。
【００４３】
対象物の収納が終ると、蓋板７を折り線ｂに沿って折り曲げて閉蓋処理を行う。図３に示すように、蓋板７を下方揺動させると、主提手片１１が折曲げ線ｅを介して横外方に折り曲げられながら、補助提手片１２が主折曲げ線ｇを介して主提手片１１に対して折り曲げられてゆき、蓋板７を完全に閉じた状態では、図５に示すように、２枚重ね構造の提手１３が現出して箱本体１の左右上端部に起立される。
【００４４】
この場合、補助提手片１２は、それ自体でも補助折曲げ線ｈを介して山形二つ折りされることになって、主提手片１１と補助提手片１２の横外方への張り出しが少ない状態で補助提手片１２が主提手片１１に折り重ねられる。
【００４５】
また、図９に示すように、主提手片１１の折曲げ線ｅは、蓋板７の開閉用の折り線ｂ、および、前側板２の開口上端よりも高い位置にあるので、折曲げ線ｅから主提手片１１の外端までの距離Ｌ１と、折曲げ線ｆから補助提手片１２の外端までの距離Ｌ２とが相違していて、主提手片１１と補助提手片１２とは主折曲げ線ｇに対して完全には対称とはなっておらず、主提手片１１の折曲げ線ｅに対する折れ曲がり特性と、補助提手片１２の折曲げ線ｆに対する折れ曲がり特性とが相違している。従って、蓋板７の閉じ作動に伴って補助提手片１２を主折曲げ線ｇで折り曲げて主提手片１１に重ね合わせるには、補助折曲げ線ｈを介して補助提手片１２自体を二つ折りすることが上記した折り曲げ特性の相違を吸収するために必要となる。つまり、蓋板７の閉じ作動時には補助提手片１２自体の補助折曲げ線ｈでの二つ折りが必ず行われて、主提手片１１と補助提手片１２の折り重ね作動が横外方への張り出しの少ない状態で行われるのである。このような折り重ね作動の状態が図４に示される。
【００４６】
また、主提手片１１の横側板４，５に対する折曲げ線ｅが、蓋板７の開閉用の折曲げ線ｂ、および、前側板２の開口上端よりも高い位置に在るので、横側板４，５の上端部分は蓋板７の開閉用の折曲げ線ｂおよび前側板２の開口上端よりも上方に延長して起立することになり、図４（ｃ）に示すように、補助提手片１２は主提手片１１のみならず垂直に起立している横側板４，５の上端延長部分４ａ，５ａにも重ね合わされる。従って、主提手片１１と補助提手片１２とを重ね合わせて現出された提手１３は、垂直に起立している横側板の上端延長部分４ａ，５ａに案内されて自動的に起立されることになり、蓋板７を閉じるだけで箱本体１の左右上端に提手１３を起立現出させることができ、直ちに持ち運びすることができる状態となる。
【００４７】
図５に示すように、蓋板７が閉じられると、その遊端に備えられた折り返し片８下方に折り返して前側板２の上端に被せ、その後、図６に示すように、前側板２の上端に備えた連結片１０を折り返し片８の係止スリット９に挿し入れて係止する。
【００４８】
この場合、連結片１０の左右端には、係止スリット９における左右の切込み端を乗越え通過する凸部１０ａが備えられており、図７に示すように、係止スリット９における左右の切込み端に凸部１０ａが引っ掛かって、挿し入れた連結片１０が係止スリット９から容易には抜けない状態となる。
【００４９】
また、上記のように、蓋板７の折り返し片８を前側板２の上端に被せるので、箱本体１を重ね置いたり、箱本体１の上に他物を載置した場合、蓋板１の遊端部に作用する荷重が前側板２の上端部全長で維持されることになり、蓋板１の遊端部が荷重によって撓み変形してしまうことはない。
【００５０】
閉蓋処理した箱本体１を運搬する際には、図８に示すように、折り重ね形成された提手１３における主提手片１１の提手孔１４を埋めている舌片１４ａを内方上方に折り曲げ、舌片１４ａを補助提手片１２の提手孔１５に押し込み通過させることで、この舌片１４ａ下面が、提手孔１４，１５の切り口に比べて大きく、かつ、平坦な指掛け面となり、提手孔１４，１５に手指を掛けて箱本体を持ち上げる際に、手指の腹に無理をかけることがない。
【００５１】
提手付き紙箱を、医療廃棄物容器として用いる場合には、図１１，図１２に示されるように、箱本体１を足踏み開閉スタンド２５に装着して、手を使わずに足踏み操作で蓋板７を開閉できるようにして使用するのが好ましい。
【００５２】
この足踏み開閉スタンド２５は、箱本体１を所定姿勢に装着することができるスタンド枠２６と、操作ペダル２７と、ペダル操作によって上下揺動するアーム状の作動部材２８とで構成されており、装着した箱本体１の蓋板７が作動部材２８に係止保持されるようになっている。
【００５３】
図１１に示すように、操作ペダル２７を踏み込み操作しない状態では、作動部材２８は図示されないバネなどによって下方付勢されており、この作動部材２８に保持された蓋板７は閉じられている。図１２に示すように、操作ペダル２７を踏み込み操作すると、作動部材２８が下方付勢力に抗して振り上げられ、これに伴って蓋板７が開放されることになり、開放された箱本体１に医療廃棄物を投入収納する。その後、踏み込みを解除すれば、再び図１１に示す蓋閉じ状態に自動的に復帰する。
【００５４】
[他の実施例]
本考案は、以下のような形態で実施することもできる。
【００５５】
（１）底面の構成は上記した形態に限られるものではなく、一般的な段ボール箱の底面に多用されているように、前後側板および左右側板のそれぞれの下端に連設した矩形のあおり板（フラップ）を折り込んで底面を構成してもよい。この場合は、四周側板のみを予め貼り合わせるとともに、底面を分解して展開した扁平な状態で供給し、ユーザーが箱状に組み上げる形態で利用してもよい。
【００５６】
（２）蓋板７の前端部を前側板２に被せて固定する手段としては、上記した形態の他に種々の手段を採用することが可能であり、例えば、前記折り返し片８の内面に両面粘着テープを予め貼り付けておき、閉蓋操作の後に、両面粘着テープの剥離紙をめくり取って、折り返し片８を前側板２の外面に貼り付け固定する手段を利用することもできる。また、簡易には、前側板２とこれに被せた折り返し片８とに亘って接着テープを貼り付けて固定するもよい。
【産業上の利用可能性】
【００５７】
本考案は、医療廃棄物をはじめとする各種の物品を収納する容器として有用である。
【符号の説明】
【００５８】
１                箱本体
２                前側板
３                後側板
４                横側板
５                横側板
６                底板
７                蓋板
８                折返し片
９                係止スリット
１０              連結片
１０ａ            凸部
１１              主提手片
１２              補助提手片
１３              提手
１４              提手孔
１５              提手孔
１６              切欠き開口
２２              切り込み
２５              足踏み開閉スタンド
２７              操作ペダル
２８              作動部材
ｂ                折り線
ｅ                折曲げ線
ｇ                主折曲げ線
ｈ                補助折曲げ線
【図１】
0003155243.tif 000003
【図２】
0003155243.tif 000004
【図３】
0003155243.tif 000005
【図４】
0003155243.tif 000006
【図５】
0003155243.tif 000007
【図６】
0003155243.tif 000008
【図７】
0003155243.tif 000009
【図８】
0003155243.tif 000010
【図９】
0003155243.tif 000011
【図１０】
0003155243.tif 000012
【図１１】
0003155243.tif 000013
【図１２】
0003155243.tif 000014
【手続補正書】
【提出日】平成21年8月27日(2009.8.27)
【手続補正１】
【補正対象書類名】明細書
【補正対象項目名】００１４
【補正方法】変更
【補正の内容】
【００１４】
本考案の一実施態様においては、前記蓋板の遊端部に、蓋閉じ状態において前記前側板の外側に外嵌する折返し片を連設するとともに、この折返し片に形成した係止スリットに差込み係止される連結片を前側板に備えてある。
【手続補正２】
【補正対象書類名】実用新案登録請求の範囲
【補正対象項目名】請求項２
【補正方法】変更
【補正の内容】
【請求項２】
前記蓋板の遊端部に、蓋閉じ状態において前記前側板の外側に外嵌する折返し片を連設するとともに、この折返し片に形成した係止スリットに差込み係止される連結片を前側板に備えてある請求項１記載の提手付き紙箱。